(57)【要約】  本発明は検索推奨方法と装置を提供する。そのうち、検索推奨方法は、検索語を受信するステップと、検索結果表示ページにおいて写真及び対応する説明情報を含む推奨結果を提供するステップと、推奨結果がユーザーによってトリガーされた後に、検索結果表示ページにおいてトリガーされた推奨結果の拡張説明を提供し、及び／又は、トリガーされた推奨結果に対応する写真を拡大するステップとを含む。本発明の実施例の検索推奨方法によれば、検索結果表示ページにおいてトリガーされた推奨結果の拡張説明を提供することによって、推奨結果の情報量を増加して、ユーザーが推奨情報を更に全面的に理解でき、しかも、トリガーされた推奨結果に対応する写真を拡大することによって、ユーザーが鮮明かつ完全な写真を見て、ユーザーニーズを満たし、ユーザー体験を向上させることができる。
2016520939.tif 000002
【特許請求の範囲】
【請求項１】
検索語を受信するステップと、
検索結果表示ページにおいて写真及び対応する説明情報を含む推奨結果を提供するステップと、
前記推奨結果がユーザーによってトリガーされた後に、前記検索結果表示ページにおいてトリガーされた推奨結果の拡張説明を提供すること、及び、前記トリガーされた推奨結果に対応する写真を拡大することの少なくとも一方を行うステップと、
を含む検索推奨方法。
【請求項２】
前記拡張説明は、検索エンジンにより統計された、前記トリガーされた推奨結果と関連する注目点情報及び検索流行語の少なくとも一方を含む請求項１に記載の検索推奨方法。
【請求項３】
前記拡張説明はポップアップウィンドウの形式で提供される請求項１または２に記載の検索推奨方法。
【請求項４】
前記拡張説明における前記注目点情報及び検索流行語の少なくとも一方がトリガーされた場合には、前記検索結果表示ページにおいて対応するリンクページを提供するステップを更に含む請求項２に記載の検索推奨方法。
【請求項５】
検索語を受信する受信モジュールと、
検索結果表示ページにおいて写真及び対応する説明情報を含む推奨結果を提供する表示モジュールと、
前記推奨結果がユーザーによってトリガーされた後に、前記検索結果表示ページにおいてトリガーされた推奨結果の拡張説明を提供すること、及び、前記トリガーされた推奨結果に対応する写真を拡大することの少なくとも一方を行う提供モジュールと
を含む検索推奨装置。
【請求項６】
前記拡張説明は、検索エンジンにより統計された、前記トリガーされた推奨結果と関連する注目点情報及び検索流行語の少なくとも一方を含む請求項５に記載の検索推奨装置。
【請求項７】
前記拡張説明はポップアップウィンドウの形式で提供される請求項５または６に記載の検索推奨装置。
【請求項８】
前記提供モジュールは、更に、前記拡張説明における前記注目点情報及び検索流行語の少なくとも一方がトリガーされた場合には、前記検索結果表示ページにおいて対応するリンクページを提供する請求項６に記載の検索推奨装置。
【発明の詳細な説明】
【技術分野】
【０００１】
本発明は、コンピュータネットワーク技術分野に関し、特に検索推奨方法及び装置に関する。
【０００２】
［関連出願の相互参照］
本出願は、百度オンライン網絡技術（北京）有限公司が２０１４年０３月２１日に提出し、発明名称が「検索推奨方法及び装置」で、中国特許出願番号が２０１４１０１０９１７３．７の優先権を主張する。
【背景技術】
【０００３】
コンピュータ技術の発展に伴い、インターネットの応用が普及している。インターネットユーザーは検索エンジンを用いて必要なネットワークリソースを入手することができる。
【０００４】
現在、検索エンジンは、ユーザーが必要な情報をより迅速に入手することを容易にするために、検索エンジンにより提供された検索ページの右側にユーザーが入力した検索語と関連する実体情報を推奨するとともに、当該実体情報に写真をマッチする。これによって、ユーザーが検索エンジンにより推奨された実体情報を容易に了解することができる。
【０００５】
しかし、本発明を実現する過程において、発明者は、先行技術において少なくとも以下のような問題があることを発現した。推奨された、実体情報と関連する写真が小さすぎるため、ユーザーが鮮明に見えない。また、提供された実体情報が有限であるため、ユーザーニーズを満たすことができなくて、ユーザー体験が良くない。
【発明の概要】
【発明が解決しようとする課題】
【０００６】
本発明の実施例は、少なくともある程度まで、上述の技術問題点を解決することを趣旨とする。
【０００７】
そのため、本発明は、検索推奨方法を提出することを、一つ目の目的とする。当該検索推奨方法によれば、推奨結果の情報量を増加でき、ユーザーが鮮明かつ完全な写真を見えて、ユーザーニーズを満たし、ユーザー体験を向上させることができる。
【課題を解決するための手段】
【０００８】
前記目的を達成するため、本発明の第一方面の実施形態は検索推奨方法を提供する。当該方法は、検索語を受信するステップと、検索結果表示ページにおいて写真及び対応する説明情報を含む推奨結果を提供するステップと、前記推奨結果がユーザーによってトリガーされた後に、前記検索結果表示ページにおいてトリガーされた推奨結果の拡張説明を提供し、及び／又は、前記トリガーされた推奨結果に対応する写真を拡大するステップとを含む。
【０００９】
本発明の実施形態に係る検索推奨方法によれば、検索結果表示ページにおいてトリガーされた推奨結果の拡張説明を提供することによって、推奨結果の情報量を増加して、ユーザーが推奨情報を更に全面的に理解でき、しかも、トリガーされた推奨結果に対応する写真を拡大することによって、ユーザーが鮮明かつ完全な写真を見えて、ユーザーニーズを満たし、ユーザー体験を向上させることができる。
【００１０】
本発明の第２方面の実施形態は検索推奨装置を提供する。当該装置は、検索語を受信する受信モジュールと、検索結果表示ページにおいて写真及び対応する説明情報を含む推奨結果を提供する表示モジュールと、前記推奨結果がユーザーによってトリガーされた後に、前記検索結果表示ページにおいてトリガーされた推奨結果の拡張説明を提供し、及び／又は、前記トリガーされた推奨結果に対応する写真を拡大する提供モジュールとを含む。
【００１１】
本発明の実施形態に係る検索推奨装置によれば、検索結果表示ページにおいてトリガーされた推奨結果の拡張説明を提供することによって、推奨結果の情報量を増加して、ユーザーが推奨情報を更に全面的に理解でき、しかも、トリガーされた推奨結果に対応する写真を拡大することによって、ユーザーが鮮明かつ完全な写真を見て、ユーザーニーズを満たし、ユーザー体験を向上させることができる。
【００１２】
本発明の付加の方面及び利点が下記の説明において部分的に表れ、一部が下記の説明よりより明らかとなり、或は本発明の実行より了解できる。
【図面の簡単な説明】
【００１３】
本発明の上述及び／或いは付加的方面とメリットは、下記の図面を結合した実施形態に対する説明において、明らかになり、理解されることが容易になる。その中で、
【図１】本発明の一実施形態による検索推奨方法のフローチャートである；
【図２】推奨結果に対応する写真を拡大する効果図である；
【図３】ポップアップウィンドウの形式で提供された注目点情報及び／または検索流行語の効果図である；
【図４】本発明の一実施形態による検索推奨装置のブロック図である。
【発明を実施するための形態】
【００１４】
以下に、本発明の実施例を詳細に説明する。前記実施例の実例が図面において示されるが、一貫して同一または類似する符号は、相同又は類似の部品、或いは、相同又は類似の機能を有する部品を表す。以下に、図面を参照しながら説明される実施例が例示性のものであり、本発明を解釈するためだけに用いられるものであって、本発明を制限するように理解されてはならない。
【００１５】
以下に、添付図面を参照しながら本発明の実施形態による検索推奨方法及び装置を説明する。
【００１６】
図１は本発明の一実施形態による検索推奨方法のフローチャートである。図１に示したように、当該検索推奨方法は以下のステップを含む。
【００１７】
ステップＳ１０１：検索語を受信する。
【００１８】
本発明の実施例において、ユーザーは、捜索エンジンにより提供された捜索欄に検索語を入力することができる。例えば、ユーザーは「劉徳華」や「朱麗倩」などの人名を入力してもよく、「ハンドクリーム」、「アイクリーム」、「爽肌水」などの化粧品類の名詞を入力してもよい。
【００１９】
ステップＳ１０２：検索結果表示ページにおいて写真及び対応する説明情報を含む推奨結果を提供する。
【００２０】
本発明の実施例において、検索エンジンは、検索語に基づき検索エンジンの検索戦略を利用して、インターネット上から検索語と関連する情報を取得し、情報を組織化・処理した後、検索語と関連する複数の検索結果及び推奨結果を取得する。そして、検索エンジンは検索結果表示ページにおいて表示を行うことができる。例えば、検索語が「朱麗倩」である場合には、推奨結果「劉徳華」が取得されることができる。そのうち、推奨結果「劉徳華」において、「劉徳華」の写真及び対応する説明情報を含む。
【００２１】
ステップＳ１０３：推奨結果がユーザーによってトリガーされた後に、検索結果表示ページにおいてトリガーされた推奨結果の拡張説明を提供し、及び／又は、トリガーされた推奨結果に対応する写真を拡大する。
【００２２】
本発明の実施形態において、ユーザーがマウスを推奨結果の上に移動するか、または、推奨結果をクリックすることによってトリガーすることができる。推奨結果がトリガーされた後に、検索エンジンは、検索結果表示ページにおいてトリガーされた推奨結果の拡張説明を提供し、及び／又は、トリガーされた推奨結果に対応する写真を拡大することができる（効果は図２で示される）。そのうち、拡張説明は検索エンジンにより統計された、トリガーされた推奨結果と関連する注目点情報及び／または検索流行語を含み、且つポップアップウィンドウの形式で提供される（効果は図３で示される）。図３に示すように、注目点情報は、「ヘリコプターを壊した」、「パパになる」及び「奥さん朱麗倩」を含む。検索流行語は、「朱麗倩」、「喩可欣」、「張学友」及び「映画盲探」を含む。
【００２３】
以上の注目点情報及び検索流行語は、知識マイニング技術に基づいて実現されることである。ユーザーニーズを満たすように、検索エンジンは知識ベースに基づいて自動的にマイニングしてもよく、注目点情報及び検索流行語を自動的に更新してもよい。
【００２４】
本発明の実施例において、拡張説明における注目点情報及び／または検索流行語がトリガーされた場合には、検索エンジンは検索結果表示ページにおいて対応するリンクページを提供することもできる。
【００２５】
本発明の実施例の検索推奨方法によれば、検索結果表示ページにおいてトリガーされた推奨結果の拡張説明を提供することによって、推奨結果の情報量を増加して、ユーザーが推奨情報を更に全面的に理解でき、しかも、トリガーされた推奨結果に対応する写真を拡大することによって、ユーザーが鮮明かつ完全な写真を見て、ユーザーニーズを満たし、ユーザー体験を向上させることができる。
【００２６】
上述の実施形態を実現するために、本発明は検索推奨装置を更に提出する。
【００２７】
図４は本発明の一実施形態による検索推奨装置のブロック図である。図４に示すように、当該検索推奨装置は、受信モジュール１００と、表示モジュール２００と、提供モジュール３００とを含む。
【００２８】
具体的には、受信モジュール１００は、検索語を受信する。
【００２９】
本発明の実施例において、ユーザーは、捜索エンジンにより提供された捜索欄に検索語を入力することができる。例えば、ユーザーは「劉徳華」や「朱麗倩」などの人名を入力してもよく、「ハンドクリーム」、「アイクリーム」、「爽肌水」などの化粧品類の名詞を入力してもよい。
【００３０】
表示モジュール２００は、検索結果表示ページにおいて写真及び対応する説明情報を含む推奨結果を提供する。
【００３１】
本発明の実施例において、検索エンジンは、検索語に基づき検索エンジンの検索戦略を利用して、インターネット上から検索語と関連する情報を取得し、情報を組織化・処理した後、検索語と関連する複数の検索結果及び推奨結果を取得する。表示モジュール２００は検索結果表示ページにおいて推奨結果を提供することができる。例えば、検索語が「朱麗倩」である場合には、推奨結果「劉徳華」が取得されることができる。そのうち、推奨結果「劉徳華」において、「劉徳華」の写真及び対応する説明情報を含む。
【００３２】
提供モジュール３００は、推奨結果がユーザーによってトリガーされた後に、検索結果表示ページにおいてトリガーされた推奨結果の拡張説明を提供し、及び／又は、トリガーされた推奨結果に対応する写真を拡大する。
【００３３】
本発明の実施形態において、ユーザーがマウスを推奨結果の上に移動するか、または、推奨結果をクリックすることによってトリガーすることができる。推奨結果がトリガーされた後に、提供モジュール３００は、検索結果表示ページにおいてトリガーされた推奨結果の拡張説明を提供し、及び／又は、トリガーされた推奨結果に対応する写真を拡大することができる（効果は図２で示される）。そのうち、拡張説明は検索エンジンにより統計された、トリガーされた推奨結果と関連する注目点情報及び／または検索流行語を含み、且つポップアップウィンドウの形式で提供される（効果は図３で示される）。図３に示すように、注目点情報は、「ヘリコプターを壊した」、「パパになる」及び「奥さん朱麗倩」を含む。検索流行語は、「朱麗倩」、「喩可欣」「張学友」「映画盲探」を含む。
【００３４】
以上の注目点情報及び検索流行語は、知識マイニング技術に基づいて実現されることである。ユーザーニーズを満たすように、検索エンジンは知識ベースに基づいて自動的にマイニングしてもよく、注目点情報及び検索流行語を自動的に更新してもよい。
【００３５】
本発明の実施例において、拡張説明における注目点情報及び／または検索流行語がトリガーされた場合には、提供モジュール３００は検索結果表示ページにおいて対応するリンクページを提供することもできる。
【００３６】
本発明の実施例の検索推奨方法によれば、検索結果表示ページにおいてトリガーされた推奨結果の拡張説明を提供することによって、推奨結果の情報量を増加して、ユーザーが推奨情報を更に全面的に理解でき、しかも、トリガーされた推奨結果に対応する写真を拡大することによって、ユーザーが鮮明かつ完全な写真を見て、ユーザーニーズを満たし、ユーザー体験を向上させることができる。
【００３７】
フローチャートまたは他の方式で説明したいかなる過程や方法は、一つまたは複数の、特定ロジック性能または過程のステップの実行できるコマンドのコードのモジュール、セクターあるいは部分を含む。本発明の望ましい実施方式の範囲は、他の実現を含み、表示または討論の順序に従わなくてもよい。述べられた機能に基づいて基本的に同様な方式または逆の順序で、その機能を実行することができる。これは、本発明の実施例の当業者に理解される。
【００３８】
フローチャート中で表され、又はその他の方式で記述された論理及び／又はステップは、例えば、論理機能を実現するための命令実行可能な順序リストであると考えられてよく、具体的には、いかなるコンピュータ読取可能媒体中でも実現することができ、それによって指令実行システム、装置、若しくは設備（例えばコンピュータに基づくシステム、プロセッサを含むシステム又は他の指令実行システム、装置又は設備から指令を取得して指令を実行することができるシステム等）に使用され、又はこれらの指令実行システム、装置、若しくは設備を結合して使用される。本明細書について言えば、「コンピュータ読取可能媒体」は、プログラムを含み、保存し、通信し、伝播し又は伝送して、指令実行システム、装置若しくは設備又はこれらの指令実行システム、装置若しくは設備に使用されるいかなる装置であってもよい。コンピュータ読取可能媒体のさらに具体的な例示（非網羅的リスト）には、１つ以上の配線を有する電気接続部（電子装置）、ポータブル型コンピュータディスク（磁気装置）、ランダムアクセスメモリ（ＲＡＭ）、読み出し専用メモリ（ＲＯＭ）、消去可能なプログラマブル読み出し専用メモリ（ＥＰＲＯＭ又はフラッシュメモリ）、光ファイバ、及びコンパクト光ディスク読み出し専用メモリ（ＣＤＲＯＭ）が含まれる。また、コンピュータ読取可能媒体は、その上に前述のプログラムを印刷した紙又はその他適当な媒質でさえあってよい。なぜなら、例えば、紙又はその他の媒質に対して光学スキャンを行い、続いて編集、解釈又は必要ならその他適当な方式で処理を行って、電子方式によってプログラムを取得し、その後それをコンピュータメモリ中に保存することができるからである。
【００３９】
また、理解すべきなのは、本発明の各部分は、ハードウェア、ソフトウェア、部品またはそれらの組み合わせで実現できる。実施例には、複数のステップまたは方法がメモリに保存され、適当なコマンド実行システムのソフトウェアまたは部品で実現される。たとえば、ハードウェアで実現する場合、他の実施方式と同じように、本領域周知の下記の任意一つまたはそれらの組み合わせで実現できる。すなわち、デジタル信号に対してロジック機能を実現するロジックゲート回路を有する個別のロジック回路、ロジックゲート回路を組み合わせた適当な専用ＩＣ、プログラマブルゲートアレイ（ＰＧＡ）、フィールドプログラマブルゲートアレイ（ＦＰＧＡ）などである。
【００４０】
実施例の方法にある全部または一部のステップがプログラムにより関連のハードウェアを実行することで完成されることは、当業者に理解される。プログラムは一つの計算機の読み出し書き込み可能な記憶メディアに記憶される。当プログラムを実行するとき、実施例方法のステップの一つまたはそれらの組み合わせを含む。
【００４１】
なお、本発明の各実施例の各機能モジュールを一つの処理モジュールに集中し、または、単独に存在し、あるいは、二つまたは二つ以上モジュールを一つの処理モジュールに集中することができる。集成したモジュールは、ハードウェアの形式、または、ソフトウェアの形式で実現される。集成したモジュールは、ソフトウェアの形式で実現し、また、独立の製品として販売や使用するとき、計算機の読み出し書き込み可能な記憶メディアに記憶されることができる。
【００４２】
上述の記憶メディアは、読み出し専用メモリ、ディスク、または、ＣＤなどである。
【００４３】
本発明の実施形態を示して説明したが、当業者にとって理解できるのは、本発明の原理及び主旨から逸脱しない限りこれらの実施形態に対して複種の変化、補正、切り替え及び変形を行うことができる。本発明の範囲は、特許請求の範囲及びその等価物により限定される。
【図１】
2016520939.tif 000003
【図２】
2016520939.tif 000004
【図３】
2016520939.tif 000005
【図４】
2016520939.tif 000006
【国際調査報告】
2016520939.tif 000007
2016520939.tif 000008
2016520939.tif 000009
2016520939.tif 000010